(57)【要約】【課題】接続孔に挿入された管体の外周部に係合部材の食い込み歯を食い込ませることにより、管体が接続孔から抜け出ることを阻止する医療用接続装置において、管体を接続孔から抜き出すことができるようにする。【解決手段】  装置本体２には、管体Ｔが挿入される接続孔２ｃを形成する。装置本体２の外周部には、係合解除部材６の大径筒部６ａを移動可能に設ける。大径筒部６ａの一端部は、装置本体２から管体Ｔの挿入方向と逆方向へ突出させる。大径筒部６ａの一端部には、管体Ｔが挿脱可能である小径筒部６ｅを設ける。小径筒部６ｅの先端部には、係合部材５の食い込み歯５ｂに突き当たることにより、管体Ｔの外周部に食い込んだ食い込み歯を管体Ｔからその径方向外側へ離間させる環状突出部６ｇを設ける。【選択図】図３
2015036046.tif 000002
【特許請求の範囲】
【請求項１】
接続孔を有し、医療用の管体が上記接続孔にその一端開口部から挿入される装置本体と、リング状に形成され、上記接続孔の内部に上記管体の挿入方向と逆方向へ抜け止め状態で設けられた係合部材とを備え、上記係合部材の内周部には、上記管体の挿入方向前方へ向かうにしたがって径方向内側へ向かうように傾斜する複数の食い込み歯が形成され、上記係合部材を貫通した状態で上記接続孔に挿入された上記管体が挿入方向と逆方向へ移動させられると、上記食い込み歯が上記管体の外周部に食い込み、それによって上記管体が上記接続孔から抜け止めされる医療用接続装置において、
上記装置本体には、係合解除部材が待機位置とこの待機位置より上記管体の挿入方向前方である解除位置との間を上記管体の挿脱方向へ移動可能に設けられ、上記係合解除部材には、上記接続孔の内周面と上記管体の外周面との間に上記接続孔の上記一端開口部から挿入可能な解除部が設けられ、この解除部は、上記係合解除部材が上記待機位置に位置しているときには、上記管体が上記接続孔に挿入されることを許容し、上記係合解除部材が上記待機位置から上記解除位置に移動させられると、上記食い込み歯に突き当たって上記管体から径方向外側へ離間させ、それによって上記管体が上記接続孔から抜け出ることが可能な状態にすることを特徴とする医療用接続装置。
【請求項２】
上記係合解除部材が、上記装置本体の外周部に上記待機位置と上記解除位置との間を移動可能に外挿され、待機位置側の一端部が上記装置本体から上記管体の挿入方向後方に向かって突出させられた大径筒部と、この大径筒部の上記一端部内周面に設けられ、径方向内側へ向かって突出する環状突出部と、この環状突出部の内周部に設けられ、上記環状突出部から上記管体の挿入方向前方へ向かって延びる小径筒部とを有し、上記小径筒部の内部を上記管体が挿脱可能とされ、上記小径筒部の先端部に上記解除部が設けられていることを特徴とする請求項１に記載の医療用接続装置。
【請求項３】
上記解除部が、上記小径筒部の先端部に環状に形成されていることを特徴とする請求項２に記載の医療用接続装置。
【請求項４】
接続孔を有し、医療用の管体が上記接続孔にその一端開口部から挿入される装置本体と、上記接続孔の内部に設けられ、上記管体の上記接続孔への挿入を許容し、かつ上記接続孔からの脱出を阻止する係合部材と、上記接続孔の内部に設けられ、上記接続孔の内周面と上記管体の外周面との間を封止する環状のシール部材とを備えた医療用接続装置において、
上記シール部材が、上記管体の上記接続孔への挿入方向において上記係合部材より前方に配置されていることを特徴とする医療用接続装置。
【請求項５】
上記接続孔の内周面には、上記接続孔に挿入された上記管体の先端部に突き当たることによって上記管体の上記接続孔への挿入位置を定める位置決め突出部が形成され、この位置決め突出部は、上記管体が上記シール部材を貫通した後に上記管体の先端部に突き当たるように、上記シール部材より上記管体の挿入方向前方に配置されていることを特徴とする請求項３に記載の医療用接続装置。
【発明の詳細な説明】
【技術分野】
【０００１】
この発明は、医療用の管体を他の管体や医療機器あるいは人体に接続する際に用いられる医療用接続装置に関する。
【背景技術】
【０００２】
一般に、この種の接続装置は、下記特許文献１に記載されているように、装置本体を有している。装置本体には、医療用の管体が挿入される接続孔が形成されている。この接続孔の内部には、シール部材及び係合部材が設けられている。接続孔に管体を挿入すると、接続孔の内周面と管体の外周面との間をシール部材が封止する。また、係合部材が管体に係合する。それによって、管体が接続孔に対して抜け止めされる。
【先行技術文献】
【特許文献】
【０００３】
【特許文献１】特開２００７−２０９３９０号公報
【発明の概要】
【発明が解決しようとする課題】
【０００４】
係合部材による管体の抜け止めは、次のようにして行われる。すなわち、係合部材は、リング状をなしており、その内周部には、管体の挿入方向前方へ向かうにしたがって径方向内側へ向かうように傾斜する食い込み歯が形成されている。各食い込み歯は、管体の挿入時には各食い込み歯の先端部に接する内接円の内径が大径になるように弾性変形して管体の挿入を許容するが、管体を抜き出そうとすると、内接円が小さくなるように変形して管体の外周部に食い込む。このため、管体を接続孔に一旦挿入すると、管体を抜き出すことができず、接続装置全体を管体と一緒に廃棄せざるを得ないという問題があった。
【課題を解決するための手段】
【０００５】
この発明は、上記の問題を解決するために、接続孔を有し、医療用の管体が上記接続孔にその一端開口部から挿入される装置本体と、リング状に形成され、上記接続孔の内部に上記管体の挿入方向と逆方向へ抜け止め状態で設けられた係合部材とを備え、上記係合部材の内周部には、上記管体の挿入方向前方へ向かうにしたがって径方向内側へ向かうように傾斜する複数の食い込み歯が形成され、上記係合部材を貫通した状態で上記接続孔に挿入された上記管体が挿入方向と逆方向へ移動させられると、上記食い込み歯が上記管体の外周部に食い込み、それによって上記管体が上記接続孔から抜け止めされる医療用接続装置において、上記装置本体には、係合解除部材が待機位置とこの待機位置より上記管体の挿入方向前方である解除位置との間を上記管体の挿脱方向へ移動可能に設けられ、上記係合解除部材には、上記接続孔の内周面と上記管体の外周面との間に上記接続孔の上記一端開口部から挿入可能な解除部が設けられ、この解除部は、上記係合解除部材が上記待機位置に位置しているときには、上記管体が上記接続孔に挿入されることを許容し、上記係合解除部材が上記待機位置から上記解除位置に移動させられると、上記食い込み歯に突き当たって上記管体から径方向外側へ離間させ、それによって上記管体が上記接続孔から抜け出ることが可能な状態にすることを特徴としている。
この場合、上記係合解除部材が、上記装置本体の外周部に上記待機位置と上記解除位置との間を移動可能に外挿され、待機位置側の一端部が上記装置本体から上記管体の挿入方向後方に向かって突出させられた大径筒部と、この大径筒部の上記一端部内周面に設けられ、径方向内側へ向かって突出する環状突出部と、この環状突出部の内周部に設けられ、上記環状突出部から上記管体の挿入方向前方へ向かって延びる小径筒部とを有し、上記小径筒部の内部を上記管体が挿脱可能とされ、上記小径筒部の先端部に上記解除部が設けられていることが望ましい。特に、上記解除部が、上記小径筒部の先端部に環状に形成されていることが望ましい。
また、第２の発明は、接続孔を有し、医療用の管体が上記接続孔にその一端開口部から挿入される装置本体と、上記接続孔の内部に設けられ、上記管体の上記接続孔への挿入を許容し、かつ上記接続孔からの脱出を阻止する係合部材と、上記接続孔の内部に設けられ、上記接続孔の内周面と上記管体の外周面との間を封止する環状のシール部材とを備えた医療用接続装置において、上記シール部材が、上記管体の上記接続孔への挿入方向において上記係合部材より前方に配置されていることを特徴としている。
この場合、上記接続孔の内周面には、上記接続孔に挿入された上記管体の先端部に突き当たることによって上記管体の上記接続孔への挿入位置を定める位置決め突出部が形成され、この位置決め突出部は、上記管体が上記シール部材を貫通した後に上記管体の先端部に突き当たるように、上記シール部材より上記管体の挿入方向前方に配置されていることが望ましい。
【発明の効果】
【０００６】
上記特徴構成を有するこの発明によれば、接続孔に管体が挿入された状態において、係合解除部材を待機位置から解除位置まで移動させると、食い込み歯が管体の外周部からその径方向外側へ離間させられる。したがって、係合部材を接続孔から抜き出すことができる。よって、接続装置を再使用することができる。
また、第２の発明によれば、シール部材が係合部材に対し、管体の上記接続孔への挿入方向において前方に配置されているから、例えば造影剤が管体から接続孔内に流入した場合、その造影剤は、接続孔の内周面と管体の外周面との間を係合部材側に向かったとしても、係合部材に達する前にシール部材によって係合部材側へ移動することが阻止される。したがって、係合部材が管体に固着されることがない。よって、管体が装置本体から抜き出すことができなくなるような事態を未然に防止することができる。このような作用効果は、接続孔から管体へ造影剤等が供給される場合も同様に得られる。
【図面の簡単な説明】
【０００７】
【図１】図１は、この発明に係る医療用接続装置の一実施の形態を管体が接続される前の状態で示す断面図である。
【図２】図２は、同実施の形態を、管体が接続された状態で示す断面図である。
【図３】図３は、同実施の形態を、係合解除部材を解除位置に移動させた状態で示す図２と同様の断面図である。
【図４】図４は、同実施の形態の分解斜視図である。
【図５】図５は、同実施の形態に接続されるべき管体としてのルアーテーパ状の管部を先端部に有するシリンジを示す断面図である。
【図６】図６は、同実施の形態にシリンジの管部を接続した状態で示す断面図である。
【図７】図７は、同実施の形態を、係合解除部材を解除位置に移動させた状態で示す図６と同様の断面図である。
【発明を実施するための形態】
【０００８】
以下、この発明を実施するための最良の形態を、図面を参照して説明する。
図１〜図４は、この発明の第１実施の形態たる医療用接続装置１及びこの接続装置１を介して他の医療機器や人体に接続される管体Ｔを示す。なお、管体Ｔは、樹脂からなるものであり、内外径が一定であるストレートな管として形成されている。
【０００９】
接続装置１は、装置本体２、シール部材３、保持部材４、係合部材５及び係合解除部材６を有している。
【００１０】
装置本体２は、その一端側（図１において左側）に形成された大径部２ａ及び他端側に形成された小径部２ｂを有している。大径部２ａ及び小径部２ｂは、互いに軸線を一致させて形成されており、それらの軸線を図１の左右方向に向けて配置されている。大径部２ａ及び小径部２ｂは、いずれも断面円形に形成されているが、他の形状、例えば六角形状に形成してもよい。また、装置本体２は、その外径を全長にわたって一定にしてもよい。なお、装置本体２を含む接続装置１の各構成部材については、説明の便宜上、図１の左右を用いて説明することとする。勿論、接続装置１は、そのような方向に限定されるものではない。
【００１１】
装置本体２には、その軸線上を左端面から右端面まで貫通する断面円形の接続孔２ｃが形成されている。接続孔２ｃの内周面の中間部には、環状突出部（位置決め突出部）２ｄが形成されている。環状突出部２ｄに代えて、周方向に不連続な複数の突出部を形成してもよい。環状突出部２ｄにより、接続孔２ｃが左側の下流側孔部２ｅと右側の上流側孔部２ｆとに区分されている。下流側孔部２ｅと上流側孔部２ｆとは、互いの軸線を若干ずらして配置してもよい。また、下流側孔部２ｅをその長手方向の中間部において屈曲させ、大径部２ａの外周面に開口させてもよい。
【００１２】
下流側孔部２ｅには、接続管７の一端部が挿入されている。接続管７の外周面は、下流側孔部２ｅの内周面に接着等によって固着されている。これによって、接続管７が装置本体２に固定されるとともに、接続管７の外周面と下流側孔部２ｅの内周面との間が封止されている。接続管７は、下流側孔部２ｅに挿脱可能に挿入してもよい。その場合には、接続管７の外周面と下流側孔部２ｅの内周面との間をＯリング等のシール部材によって封止することが望ましい。また、接続管７は、その先端面が環状突出部２ｄに突き当たるまで下流側孔部２ｅに挿入されているが、必ずしも接続管７の先端面を環状突出部２ｄに突き当てる必要がない。なお、この実施の形態では、接続管７として管体Ｔと同一構成の管が採用されているが、他の構成の管を採用してもよい。接続管７の他端部は、医療機器や人体等に接続されている。
【００１３】
上流側孔部２ｆは、環状突出部２ｄから右側へ向かって順次形成された小径孔部２ｇ、中径孔部２ｈ及び大径孔部２ｉを有している。これらの孔部２ｇ，２ｈ，２ｉは、互いの軸線を一致させて配置されている。
【００１４】
小径孔部２ｇは、その内径が管体Ｔの外径より若干大径になっているが、管体Ｔを挿入し得る限り、管体Ｔとほぼ同一内径にしてもよい。また、ストレートな孔とすることなく、左方へ向かって小径になるようなテーパ孔としてもよい。
【００１５】
中径孔部２ｈは、小径孔部２ｇより大径である。中径孔部２ｈには、Ｏリング等の弾性材からなる環状のシール部材３が収容されている。シール部材３の外径は、中径孔部２ｈの内径より若干大径であり、シール部材３の外周部は、シール部材３自体の弾性によって中径孔部２ｈの内周面に押圧接触している。一方、シール部材３の内径は、シール部材３の内周部が弾性的に拡径して管体Ｔを通すことができる範囲において管体Ｔの外径より小径になっている。したがって、管体Ｔをシール部材３に挿通すると、シール部材３の内周部が管体Ｔの外周面に押圧接触し、管体Ｔの外周面とシール部材３の内周面との間が封止される。しかも、管体Ｔをシール部材３に挿通すると、シール部材３が弾性的に押し潰されて、シール部材３の外周部が中径孔部２ｈの内周面により一層強く押圧接触し、シール部材３の外周部と中径孔部２ｈの内周面との間がより一層高度に封止される。このようにして、中径孔部２ｈの内周面と管体Ｔの外周面との間がシール部材３によって封止されている。
【００１６】
大径孔部２ｉは、中径孔部２ｈより大径である。大径孔部２ｉの右端部は、装置本体２の右端面に開口しており、それが接続孔２ｃの右側の開口部になっている。この開口部から管体Ｔが上流側孔部２ｆに挿入される。
【００１７】
大径孔部２ｉには、保持部材４が収容されている。保持部材４は、筒状に形成されており、その軸線を大径孔部２ｉの軸線と一致させて配置されている。保持部材４の左端部は、大径孔部２ｉの底面に突き当たっており、それによって保持部材４の左方への移動が阻止されている。保持部材４の外周面には、係合突出部４ａが形成されている。この係合突出部４ａが大径孔部２ｉの内周面に形成された係合凹部２ｊの右側の側面に突き当たることにより、保持部材４の右方への移動が阻止されている。したがって、保持部材４は、大径孔部２ｉに左右方向へ移動不能に収容されている。なお、係合突出部４ａの外径は、大径孔部２ｉの内径より若干大径であるが、装置本体２の小径部２ｂが弾性変形して大径孔部２ｉが拡径するとともに、保持部材４が弾性的に縮径することにより、係合突出部４ａが大径孔部２ｉ内にその開口部から係合凹部２ｊまで挿入可能になっている。
【００１８】
保持部材４の内周面の左端部には、環状突出部４ｂが形成されている。この環状突出部４ｂの内径は、管体Ｔの外径より大径に設定されている。したがって、管体Ｔは、環状突出部４ｂの内部を挿通可能である。その一方、環状突出部４ｂの内径は、中径孔部２ｈの内径より小径であり、小径孔部２ｇの内径とほぼ同一に設定されている。したがって、シール部材３が右方へ移動しようとすると、環状突出部４ｂに突き当たる。これにより、シール部材３が中径孔部２ｈから右方へ抜け出ることが阻止されている。しかも、シール部材３は、中径孔部２ｈの底面に突き当たることにより、左方への移動が阻止されている。したがって、シール部材３は、中径孔部２ｈに左右方向へほとんど移動不能な状態で装着されている。
【００１９】
大径孔部２ｉの開口部側の内部には、係合部材５が収容されている。係合部材５は、鋼等の金属製の薄い板材からなるものであり、環状に形成されている。そして、その軸線を大径孔部２ｉの軸線とほぼ一致させて配置されている。係合部材５の外周部には、周方向に連続した環状板部５ａが形成されている。この環状板部５ａの内周部には、複数の食い込み歯５ｂが周方向に並んで形成されている。
【００２０】
環状板部５ａの外径は、大径孔部２ｉの内径より若干小径に設定されている。したがって環状板部５ａ、ひいては係合部材５は、大径孔部２ｉの内径と環状板部５ａの外径との差の分だけ大径孔部２ｉの径方向へ移動可能である。係合部材５を大径孔部２ｉの径方向へ移動可能にした理由については後述する。係合部材５は、必ずしも大径孔部２ｉの径方向へ移動可能にする必要が無く、保持部材４の右端面に固定してもよい。その場合には、係合部材５（環状板部５ａ）の軸線を大径孔部２ｉの軸線と一致させる。環状板部５ａの内径は、管体Ｔの外径より大径に設定されている。
【００２１】
食い込み歯５ｂは、左方へ向かうにしたがって係合部材５の径方向内側へ向かうように傾斜させられている。しかも、各食い込み歯５ｂは、隣接するものどうしが周方向に分離されているので、傾斜角が変化するように弾性変形可能である。各食い込み歯５ｂの先端部に接する内接円の直径は、管体Ｔの外径より所定の寸法だけ小径に設定されている。したがって、管体Ｔを大径孔部２ｉにその右端開口部から挿入すると、管体Ｔの先端面と外周面との交差部が食い込み歯５ｂの基端部と先端部との間の中間部に突き当たる。管体Ｔを大径孔部２ｉにさらに挿入すると、係合部材５が左方へ移動させられる。係合部材５は、環状板部５ａが保持部材４の右端面に突き当たると、それ以上左方へ移動することができなくなる。その状態で管体Ｔを左方へ押すと、各食い込み歯５ｂが傾斜しているので、食い込み歯５ｂと管体Ｔとの間に自動調芯作用が働き、係合部材５がその径方向（大径孔部２ｉの径方向）へ移動させられる。そして、係合部材５の軸線が管体Ｔの軸線と一致させられる。これが、係合部材５を大径孔部２ｉの径方向へ移動可能にした理由である。管体Ｔをさらに挿入すると、食い込み歯５ｂが管体Ｔによって左方へ押されて弾性変形し、各食い込み歯５ｂに内接する内接円の直径が大きくなる。そして、各食い込み歯５ｂの内接円の直径が管体Ｔの外径と同一になるまで大きくなると、管体Ｔが各係合歯５ｂの先端部（内周側の端部）に接触した状態で左方へ移動する。その後、管体Ｔは、図２に示すように、保持部材４及びシール部材３を貫通して小径孔部２ｇに入り込み、環状突出部２ｄに突き当たる。すると、管体Ｔは、それ以上左方へ移動することができなくなる。その状態において、管体Ｔを接続孔２ｃから引き抜くように右方へ移動させると、各食い込み歯５ｂが管体Ｔの外周部に食い込み、管体Ｔが右方へ移動することを阻止する。これにより、管体Ｔが装置本体２の上流側孔部２ｆ（接続孔２ｃ）に抜き出し不能に接続される。勿論、管体Ｔの外周面と接続孔２ｃ（中径孔部２ｈ）の内周面との間は、シール部材３によって封止されている。
【００２２】
装置本体２の小径部２ｂの外周部には、係合解除部材６が装着されている。係合解除部材６は、断面円形の大径筒部６ａを有している。大径筒部６ａは、断面非円形に形成してもよい。大径筒部６ａは、小径部２ｂに左右方向へ移動可能に外挿されている。大径筒部６ａの内周面には、係合突出部６ｂが形成されている。一方、小径部２ｂの外周面には、係合凹部２ｋが形成されている。係合突出部６ｂが係合凹部２ｋの右側の端面に突き当たると、大径筒部６ａがそれ以上右方へ移動することができなくなる。これにより、係合解除部材６が小径部２ｂに対し右方へ抜け止めされている。以下、係合突出部６ｂが係合凹部２ｋの右側の端面に突き当たったときの係合解除部材６の位置を待機位置という。なお、係合突出部６ｂの内径は、小径部２ｂの外径より小径であるが、大径筒部６ａが弾性的に拡径するとともに、小径部２ｂが弾性的に縮径することにより、係合突出部６ｂが係合凹部２ｋ内に入り込むまで大径筒部６ａを小径部２ｂに外挿することができる。
【００２３】
大径筒部６ａの外周面の左端部には、操作部６ｃが環状に形成されている。操作部６ｃは、その外周部を手で持って係合解除部材６を左右方向へ移動させるためのものである。係合解除部材６は、上記のように、右方へは係合突出部６ｂが係合凹部２ｋの右端面に突き当たるまで、つまり待機位置まで移動可能であり、左方へは操作部６ｃが大径部２ａの右端面に突き当たるまで移動可能である。ただし、実際には、操作部６ｃが大径部２ａに突き当たるまで係合解除部材６が左方へ移動することはなく、その手前で止まる。この点については、後述する。
【００２４】
大径筒部６ａの内周面の右端部には、径方向内側へ突出する環状突出部６ｄが形成されている。環状突出部６ｄは、係合解除部材６がその移動可能範囲内のいずれの位置に位置しているときでも小径部２ｂの右端面に突き当たることがないように、小径部２ｂから右方へ離間して配置されている。環状突出部６ｄの内径は、管体Ｔの外径より若干大径になっている。したがって、環状突出部６ｄの内部には、管体Ｔが挿通可能である。
【００２５】
環状突出部６ｄの小径部２ｂと対向する端面の内周部には、小径部２ｂ側に向かって延びる小径筒部６ｅが形成されている。小径筒部６ｅは、その軸線を接続孔２ｃの軸線と一致させて配置されている。小径筒部６ｅの内径は、環状突出部６ｄの内径と同一である。したがって、小径筒部６ｅ内に管体Ｔが挿入可能である。
【００２６】
小径筒部６ｅの左端面のうち、径方向の外側の部分には、当接面６ｆが環状に形成されている。この当接面６ｆの内径は、係合部材５の環状板部５ａの内径より小径であるが、外径は環状板部５ａの内径より大径で、かつ環状板部５ａの外径より小径に設定されている。当接面６ｆは、係合解除部材６が左方へ移動させられると、係合部材５の環状板部５ａに突き当たり、環状板部５ａを介して保持部材４の右端面に突き当たる。しかも、当接面６ｆは、操作部６ｃが大径部２ａの右端面に突き当たる前に環状板部５ａに突き当たるように配置されている。したがって、当接面６ｆが環状板部５ａに突き当たることにより、係合解除部材６の左方への移動限界位置が定められている。以下、係合解除部材６の左方への移動限界位置を解除位置という。
【００２７】
小径筒部６ｅの左端面のうち、径方向の内側の部分には、左方へ向かって延びる環状突出部（解除部）６ｇが形成されている。環状突出部６ｇは、小径筒部６ｅと同軸に形成されている。環状突出部６ｇは、係合解除部材６が待機位置に位置しているときには、環状突出部６ｇの先端部が係合部材５の食い込み歯５ｂから右方に離間し、係合解除部材６が待機位置と解除位置との間の中間位置まで左方へ移動すると、環状突出部６ｇの先端部が食い込み歯５ｂの径方向の中間部に突き当たるように配置されている。
【００２８】
環状突出部６ｇの内径は、内側筒部６ｅの内径と同一に設定されている。したがって、環状突出部６ｇ内を管体Ｔが挿通可能である。環状突出部６ｇの外周面は、左方へ向かうにしたがって小径になるようなテーパ面として形成されている。このテーパ面の傾斜角度は、係合部材５の食い込み歯５ｂの傾斜角度より小さい角度に設定されている。環状突出部６ｇの外周面は、一定の外径を有する円筒面としてもよい。環状突出部６ｇの先端縁の外径、つまり環状突出部６ｇの最小外径は、食い込み歯５ｂの内接円の直径より大径であり、環状板部５ａの内径より小径である。したがって、係合解除部材６を待機位置から左方へ移動させると、環状突出部６ｇの先端面と外周面との交差部が食い込み歯５ｂに突き当たり、食い込み歯５ｂをその内接円の直径が大きくなるように弾性変形させる。つまり、接続孔２ｃの軸線に対する食い込み歯５ｂの傾斜角度が小さくなるように、食い込み歯５ｂを弾性変形させる。係合解除部材６を解除位置まで移動させると、食い込み歯５ｂの内接円の直径が管体Ｔの外径より大径になり、食い込み歯５ｂが管体Ｔの外周面からその径方向へ離間する。その結果、管体Ｔを接続孔２ｃから右方へ引き抜くことができるようになる。
【００２９】
次に、上記構成の医療用接続装置１に管体Ｔを接続する場合について説明する。管体Ｔを接続装置１に接続するに際しては、図１に示すように、係合解除部材６を待機位置に位置させておくとともに、管体Ｔの左端部（先端部）の軸線を接続孔２ｃの軸線とほぼ一致させる。そして、管体Ｔを内側筒部６ｅに挿通し、さらに大径孔部２ｉに挿入する。すると、管体Ｔの先端部が食い込み歯５ｂに突き当たり、係合部材５を左方へ移動させる。係合部材５は、環状板部５ａが保持部材４に突き当たるとそれ以上左方へ移動することができなくなる。その状態で管体Ｔをさらに左方へ移動させると、管体Ｔが食い込み歯５ｂを弾性変形させる。そして、管体Ｔは、食い込み歯５ｂの先端面（内周面）に接した状態で係合部材５を貫通する。その後、管体Ｔは、保持部材４及びシール部材３を順次貫通して小径孔部２ｇに入り込み、環状突出部２ｄに突き当たって停止する。その状態において、管体Ｔを右方へ移動させると、食い込み歯５ｂが管体Ｔの外周部に食い込み、管体Ｔの右方への移動を阻止する。これによって、管体Ｔが接続装置１に接続され、ひいては管体Ｔが他の医療機器や人体に接続装置１を介して接続される。したがって、管体Ｔから造影剤等が供給されると、その造影剤が接続管７を通って他の医療機器や人体に供給される。
【００３０】
管体Ｔを接続装置１から抜き出すときには、係合解除部材６を待機位置から解除位置まで移動させる。すると、各食い込み歯５ｂが環状突出部６ｇによって左方へ押され、各食い込み歯５ｂに対する内接円の直径が大きくなるように食い込み歯５ｂが弾性変形させられる。その結果、各食い込み歯５ｂの先端部が管体Ｔの外周面から径方向外側へ離間し、係合部材５の管体Ｔに対する係合状態が解除される。したがって、管体Ｔが接続孔２ｃから抜き出し可能になる。管体Ｔを接続孔２ｃから抜き出した後、係合解除部材６を待機位置に戻しておく。
【００３１】
このように、上記構成の接続装置１においては、係合部材６を待機位置から解除位置まで移動させることにより、管体Ｔを接続孔２ｃから抜き出すことができる。したがって、接続装置１を管体Ｔと一緒に廃棄する必要がなく、他の管体の接続に再度利用することができる。
【００３２】
また、シール部材３が係合部材５に対し、管体Ｔの接続孔２ｃへの挿入方向において前方に配置されているから、管体Ｔから環状突出部２ｄの内側の部分（接続孔２ｃ）に造影剤等が供給されたとき、その造影剤は、上流側孔部２ｆの内周面と管体Ｔの外周面との間を通って後方へ向かうが、係合部材５まで達することがない。したがって、食い込み歯５ｂが管体Ｔの外周部に食い込んだまま固定されるような状況になることを未然に防止することができる。よって、管体Ｔを接続装置１から確実に抜き出すことができる。
【００３３】
上記構成の接続装置１は、上記管体Ｔ以外の他の管体の接続にも用いることができる。図５〜図７は、接続装置１にシリンジＣを接続するようにしたものである。シリンジＣは、樹脂からなるものであり、その先端部には管部（管体）Ｃａが形成されている。管部Ｃａは、その先端が基端より小径になるようにルアーテーパ状に形成されている。管部Ｃａの先端縁の外径、つまり最小外径は、小径孔部２ｇの内径より若干小径であるが、シール部材３及び係合部材５の食い込み歯５ｂの内接円の内径より大径に設定されている。なお、小径孔部２ｇは、管部Ｃａと同一のテーパ角度をもってテーパ状に形成してもよい。管部Ｃａの基端縁の外径、つまり最大外径は、内側筒部６ｅの内径より若干小径に設定されている。したがって、管部Ｃａは、内側筒部６ｅを通して上流側孔部２ｆに挿入可能である。
【００３４】
管部Ｃａの全長は、環状突出部２ｄから待機位置に位置している係合解除部材６の右端面までの距離より若干長く設定されている。したがって、図６に示すように、管部Ｃａは、その先端面が環状突出部２ｄに突き当たるまで上流側孔部２ｆに挿入することができ、それにより上記管体Ｔと同様にして、管部Ｃａを接続装置１に接続することができる。また、図７に示すように、係合解除部材６を待機位置から解除位置まで移動させることにより、管部Ｃａを接続装置１から抜き出すことができる。
【００３５】
なお、この発明は、上記の実施の形態に限定されるものでなく、その要旨を逸脱しない範囲において各種の変形例を採用することができる。
例えば、上記の実施の形態においては、接続孔２ｃのうちの管体Ｔが接続される部分を上流側孔部２ｆとしているが、これを下流側孔部としてもよい。すなわち、造影剤等を接続管７から接続孔２ｃに流入させ、接続孔２ｃから管体Ｔに流入させるようにしてもよい。その場合にも、造影剤等が係合部材５に達することを防止することができる。
【符号の説明】
【００３６】
Ｃａ    管部（管体）
Ｔ    管体
１    医療用接続装置
２    装置本体
２ｃ    接続孔
２ｄ    環状突出部（位置決め突出部）
３    シール部材
５    係合部材
５ｂ    食い込み歯
６    係合解除部材
６ａ    大径筒部
６ｄ    環状突出部
６ｅ    小径筒部
６ｇ    環状突出部（解除部）
【図１】
2015036046.tif 000003
【図２】
2015036046.tif 000004
【図３】
2015036046.tif 000005
【図４】
2015036046.tif 000006
【図５】
2015036046.tif 000007
【図６】
2015036046.tif 000008
【図７】
2015036046.tif 000009